(57)【要約】  未使用ＲＥＧの配置を変更することで送信電力を有効に使用すること。本発明の無線通信装置は、中継局を介して端末装置と無線通信を行う無線通信装置であって、中継局用の制御信号を配置するＣＣＥが割り当てられない未使用のＲＥＧが、複数のＲＥＧを有する各リソースブロック間で異なるように、前記複数のＲＥＧに前記ＣＣＥを割り当てる割当て部と、前記割当部の割り当てに基づき、前記ＲＥＧに割り当てられた前記ＣＣＥに配置された制御信号を前記中継局に送信する送信部と、を備える。
2011040024.tif 000002
【特許請求の範囲】
【請求項１】
中継局を介して端末装置と無線通信を行う無線通信装置であって、
中継局用の制御信号を配置するＣＣＥが割り当てられない未使用のＲＥＧが、複数のＲＥＧを有する各リソースブロック間で異なるように、前記複数のＲＥＧに前記ＣＣＥを割り当てる割当て部と、
前記割当部の割り当てに基づき、前記ＲＥＧに割り当てられた前記ＣＣＥに配置された制御信号を前記中継局に送信する送信部と、
を備える無線通信装置。
【請求項２】
請求項１に記載の無線通信装置であって、
前記割当て部は、
前記ＣＣＥの割り当てを開始するＲＥＧのインデックスをリソースブロック毎に巡回シフトさせて、前記ＲＥＧに前記ＣＣＥを割り当てることを特徴とする無線通信装置。
【請求項３】
請求項２に記載の無線通信装置であって、
前記割当て部において、
前記未使用のＲＥＧを巡回シフトするシフト量は、前記リソースブロックの番号を、１つのリソースブロックの前記ＲＥＧの数で割った余りに、前記未使用のＲＥＧの数をかけた数値とすることを特徴とする無線通信装置。
【請求項４】
請求項２に記載の無線通信装置であって、
前記割当て部は、
前記複数のリソースブロックの少なくとも一部で構成されたリソースブロックセットに前記ＣＣＥを割り当てる場合、前記リソースブロックセット毎に前記未使用のＲＥＧを巡回シフトすることを特徴とする無線通信装置。
【請求項５】
請求項２に記載の無線通信装置であって、
前記割当て部は、
前記複数のリソースブロックの少なくとも一部で構成されたリソースブロックセットに前記ＣＣＥを割り当てる場合、リソースブロック毎に前記未使用のＲＥＧを巡回シフトすることを特徴とする無線通信装置。
【請求項６】
請求項１に記載の無線通信装置であって、
前記割当て部は、
前記各リソースブロックで、所定のサブキャリアを含むＲＥＧを前記未使用のＲＥＧとして巡回シフトすることを特徴とする無線通信装置。
【請求項７】
中継局を介して端末装置と無線通信を行う無線通信方法であって、
中継局用の制御信号を配置するＣＣＥが割り当てられない未使用のＲＥＧが、複数のＲＥＧを有する各リソースブロック間で異なるように、前記複数のＲＥＧにＣＣＥを割り当てるステップと、
前記割り当てに基づき、前記複数のＲＥＧに割り当てられた前記ＣＣＥに配置された制御信号を前記中継局に送信するステップと、
を有する無線通信方法。
【発明の詳細な説明】
【技術分野】
【０００１】
本発明は、無線通信装置及び無線通信方法に関する。
【背景技術】
【０００２】
近年、セルラ移動体通信システムにおいては、情報のマルチメディア化に伴い、音声データのみならず、静止画像データ、動画像データ等の大容量データを伝送することが一般化しつつある。大容量データの伝送を実現するために、高周波の無線帯域を利用して高伝送レートを実現する技術に関して盛んに検討がなされている。【０００３】
しかし、高周波の無線帯域を利用した場合、近距離では高伝送レートを期待できる一方、遠距離になるにしたがい伝送距離による減衰が大きくなる。よって、高周波の無線帯域を利用した移動体通信システムを実際に運用する場合は、無線通信基地局装置（Ｅｖｏｌｖｅｄ  ＮｏｄｅＢ：ｅＮＢ、以下、基地局という）のカバーエリアが小さくなり、このため、より多くの基地局を設置する必要が生じる。基地局の設置には相応のコストがかかるため、基地局数の増加を抑制しつつ、高周波の無線帯域を利用した通信サービスを実現するための技術が強く求められている。【０００４】
上記要求に対し、各基地局のカバーエリアを拡大させるために、図１５に示す従来の無線中継システムのように、基地局１０と無線通信端末装置（Ｕｓｅｒ  Ｅｑｕｉｐｍｅｎｔ：ＵＥ、以下、端末という）５０Ｂとの間に無線通信中継局装置（以下、中継局という）３０を設置し、基地局１０と端末５０Ｂとの間の通信を、中継局３０を介して行う中継送信技術が検討されている。中継技術を用いると、基地局１０と直接通信できない端末５０Ｂも、中継局３０を介して通信することができる。なお、端末５０Ａは、基地局１０と接続されており、基地局１０と直接通信可能である。【０００５】
［ＴＤ  ｒｅｌａｙの説明］
ＴＤ  ｒｅｌａｙは、バックホールリンク（ｂａｃｋｈａｕｌ  ｌｉｎｋ）とアクセスリンク（ａｃｃｅｓｓ  ｌｉｎｋ）の通信を時間軸で分割する方式である。ＴＤ  ｒｅｌａｙでは、中継局は自局の送信アンテナと受信アンテナ間の回りこみの影響を受けずにバックホールリンクの受信とアクセスリンクの送信を行うことができる。しかしながら、ＴＤ  ｒｅｌａｙを適用すると、下りバックホールリンクにおいて、中継局がアクセスリンクへの送信を停止する期間が発生する。ＬＴＥ（Ｌｏｎｇ  Ｔｅｒｍ  Ｅｖｏｌｕｔｉｏｎ；以下、ＬＴＥという）端末は、下り回線において基地局が参照信号を周期的に送信することを前提として動作する。そのため、中継局が該サブフレームにおいて参照信号を含む下りアクセスリンクの送信を停止すると、端末が参照信号を誤検出する問題が発生する。【０００６】
［ＭＢＳＦＮ  サブフレームの利用］
ＬＴＥ−Ａ（Ｌｏｎｇ  Ｔｅｒｍ  Ｅｖｏｌｕｔｉｏｎ  Ａｄｖａｎｃｅｄ）システムは、ＬＴＥからのスムーズな移行やＬＴＥとの共存の観点から、ＬＴＥとの互換性を維持することが要求されている。そのため、Ｒｅｌａｙ技術に関しても、ＬＴＥとの相互互換性を達成することが求められている。ＬＴＥ−Ａシステムでは、ＬＴＥとの相互互換性を達成するために、下り回線（Ｄｏｗｎ  Ｌｉｎｋ；以下、ＤＬという）において、基地局から中継局への送信時にＭＢＳＦＮサブフレームを設定することが検討されている。【０００７】
「ＭＢＳＦＮサブフレーム」とは、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）データを送信するために定義されたサブフレームである。ＬＴＥ端末は、ＭＢＳＦＮサブフレームでは、参照信号を利用しないという動作が定められている。【０００８】
そこで、ＬＴＥ−Ａにおいて、中継局３０が基地局１０と通信するバックホールリンク用サブフレームでは、ＲＮ（中継局）セルのアクセスリンク側のサブフレームを、ＭＢＳＦＮサブフレームに設定することによって、ＬＴＥ端末の参照信号の誤検出を回避する手法が提案されている。図１６は、ＬＴＥシステムにおける各局のサブフレームにおける制御信号とデータとの割当の一例である。図１６に示すように、ＬＴＥシステムでは、各局の制御信号は、サブフレームの前方に配置されている。そのため、中継局３０は、ＭＢＳＦＮサブフレームであっても端末５０Ｂへ制御信号部分は送信しなければならないので、中継局３０は、制御信号を端末５０Ｂへ送信後に受信へ切り替え、基地局１０から信号を受信する。したがって、中継局３０は基地局１０が送信する制御信号を受信することができない。そのため、ＬＴＥ−Ａでは、新たにデータ領域に中継局３０用の制御信号を配置することが検討されている。【０００９】
［制御信号の説明］
ＬＴＥシステムの制御信号は、例えばＰＤＣＣＨ（Ｐｈｙｓｉｃａｌ  Ｄｏｗｎｌｉｎｋ  Ｃｏｎｔｒｏｌ  Ｃｈａｎｎｅｌ）等の下り回線制御チャネルを用いて、基地局から端末へ送信される。各ＰＤＣＣＨは、１つまたは複数のＣＣＥ（Ｃｏｎｔｒｏｌ  Ｃｈａｎｎｅｌ  Ｅｌｅｍｅｎｔ）という論理リソースに配置される。【００１０】
１つのＰＤＣＣＨは、１つまたは複数のＣＣＥに配置される場合、１つのＰＤＣＣＨは連続する複数のＣＣＥに配置される。【００１１】
各ＰＤＣＣＨが配置されるＣＣＥは対応する物理リソースであるＲＥＧ（Ｒｅｓｏｕｒｃｅ  Ｅｌｅｍｅｎｔ  Ｇｒｏｕｐ）にマッピングされる。１つのＣＣＥは、９ＲＥＧにマッピングされる。また、ＲＥＧは４ＲＥで構成される。なお、ＲＥとは、（１サブキャリア＊１ＯＦＤＭシンボル）のリソース単位を示す。【００１２】
［中継局用制御信号（Ｒ−ＰＤＣＣＨ）用ＲＢの例  （４アンテナ）］
ここで、図１７を参照して、中継局用制御信号用のリソースブロック（以下、ＲＢという）の一例（４アンテナ）について説明する。ここで、１ＲＢが、（１２サブキャリア×１４ＯＦＤＭ）で構成されるとする。また、図１７の実線（細い）で描かれる、最小単位のブロックが１ＲＥを表している。また、図１７の実線（太い）で描かれるブロックが、１ＲＥＧ（４ＲＥで構成）を表す。図１７の実線（細い）で描かれる最小単位のブロックのうち、Ｒｎ（ｎ＝０〜３）と示されたブロックは、ｎ番目のアンテナｎのＲＳを表す。また、１ＣＣＥは９ＲＥＧで構成されているものとする。【００１３】
図１７に示す１リソースブロック（ＲＢ）の例では、１ＲＢが（１２サブキャリア×１４ＯＦＤＭ）で構成されているので、１ＲＢ当たり１６８ＲＥが配置できる。また、図１７に示すように、ＲＳの送信（Ｒ０、Ｒ１、Ｒ２、Ｒ３）に２４ＲＥ使用し、Ｒ−ＰＤＣＣＨとして後半１１ＯＦＤＭシンボルを使用すると、Ｒ−ＰＤＣＣに１１６ＲＥ使用できる。【００１４】
図１７に示す１リソースブロック（ＲＢ）では、ＬＴＥと同様に、１ＲＥＧが４ＲＥで構成されているので、Ｒ−ＰＤＣＣＨとして２９ＲＥＧ使用できる。また、図１７に示す１リソースブロック（ＲＢ）では、１ＣＣＥが９ＲＥＧで構成されているので、１ＲＢに３ＣＣＥ（９＊３＝２７ＲＥＧ）割当てることが可能である。そのため、Ｒ−ＰＤＣＣＨとして使用される２９ＲＥＧから２７ＲＥＧを差し引いた、使用されないＲＥＧが２つ存在する。
【先行技術文献】
【非特許文献】
【００１５】
【非特許文献１】３ＧＰＰ  ＴＲ  ３６．８１４  Ｖ１．２．１
【発明の概要】
【発明が解決しようとする課題】
【００１６】
しかし、ＬＴＥでは、規定により、ＰＤＣＣＨとして使用するＲＥＧの番号を、ＲＥＧに属するＲＥのサブキャリア番号が小さく、さらにＯＦＤＭシンボルが小さいものから順につける。このとき、ＰＤＣＣＨに使用されるＲＥＧ数が９で割り切れない場合、使用されないＲＥＧが発生する。そして、使用されないＲＥＧは、サブキャリア番号が大きく、ＯＦＤＭシンボルが大きいところに配置される。上記規定を中継局用の制御信号にも適用すると、使用されないＲＥＧが、サブキャリア番号が大きく、かつＯＦＤＭシンボルが大きいところに配置される。【００１７】
ここで、図１８に複数のリソースブロック（ＲＢ）の例を示す。図１８では、図１７と同様、１ＲＢが、（１２サブキャリア×１４ＯＦＤＭ）で構成されるとする。また、図１８の実線（細い）で描かれる、最小単位のブロックが１ＲＥを表している。また、図１８の実線（太い）で描かれるブロックが、１ＲＥＧ（４ＲＥで構成）を表す。図１８の実線（細い）で描かれる最小単位のブロックのうち、Ｒｎ（ｎ＝０〜３）と示されたブロックは、ｎ番目のアンテナｎのＲＳを表す。また、１ＣＣＥは９ＲＥＧで構成されているものとする。【００１８】
図１８に示すように、未使用のＲＥＧ（斜線部）は、２８番目と２９番目のＲＥＧである。そして、Ｒ−ＰＤＣＣＨは、中継局ごとに配置されるＲＢが異なることも検討されている。このような場合、たとえば、図１８に示す例において、基地局は、ＲＢ♯１で中継局（ＲＮ１）向けのＲ−ＰＤＣＣＨを送信し、ＲＢ♯５で他の中継局（ＲＮ２）向けのＲ−ＰＤＣＣＨを送信するという、ＲＢの割り当てができる。このような場合、同一のＯＦＤＭシンボルに配置されるＲＥＧが、それぞれのリソースブロック（ＲＢ）で使用されない。したがって、基地局の送信電力が有効に使用できないという課題が発生する。【００１９】
上記送信電力の課題について詳細に説明する。基地局の送信電力は、全てのサブキャリアの送信電力の合計で決定する。したがって、基地局が、使用しないサブキャリアの送信電力を他のサブキャリアに使用することは可能である。しかしながら、データ信号の送信電力がシンボルごとに変化すると、基地局は、多値変調時に情報として信号の振幅量を使用するが、その信号の振幅量にばらつきが生じてしまう。そのため、基地局が、使用しないサブキャリアの送信電力を一部のＯＦＤＭシンボルだけ使いまわすことは困難である。【００２０】
したがって、図１８に示す複数のリソースブロック（ＲＢ）では、ＯＦＤＭシンボル＃１３、＃１４のＲＥＧが使用されないと、基地局において、ＯＦＤＭシンボル＃１３、＃１４の送信電力に余裕が生じる。しかし、基地局は、他のリソースブロック（ＲＢ）のサブキャリアに配置されたデータのＯＦＤＭシンボル＃１３、＃１４の送信電力のみを上げられないので、ＯＦＤＭシンボル＃１３、＃１４の送信電力で余っている電力を有効に使うことができない。【００２１】
本発明の目的は、未使用ＲＥＧの配置を変更することで送信電力を有効に使用できる無線通信装置および無線通信方法を提供することである。
【課題を解決するための手段】
【００２２】
本発明の一実施形態として、中継局を介して端末装置と無線通信を行う無線通信装置であって、中継局用の制御信号を配置するＣＣＥが割り当てられない未使用のＲＥＧが、複数のＲＥＧを有する各リソースブロック間で異なるように、前記複数のＲＥＧに前記ＣＣＥを割り当てる割当て部と、前記割当部の割り当てに基づき、前記ＲＥＧに割り当てられた前記ＣＣＥに配置された制御信号を前記中継局に送信する送信部と、を備える無線通信装置を提供する。【００２３】
上記無線通信装置であって、前記割当て部は、前記ＣＣＥの割り当てを開始するＲＥＧのインデックスをリソースブロック毎に巡回シフトさせて、前記ＲＥＧに前記ＣＣＥを割り当てる。【００２４】
上記無線通信装置であって、前記割当て部において、前記未使用のＲＥＧを巡回シフトするシフト量は、前記リソースブロックの番号を、１つのリソースブロックの前記ＲＥＧの数で割った余りに、前記未使用のＲＥＧの数をかけた数値とする。【００２５】
上記無線通信装置であって、前記割当て部は、前記複数のリソースブロックの少なくとも一部で構成されたリソースブロックセットに前記ＣＣＥを割り当てる場合、前記リソースブロックセット毎に前記未使用のＲＥＧを巡回シフトする。【００２６】
上記無線通信装置であって、前記割当て部は、前記複数のリソースブロックの少なくとも一部で構成されたリソースブロックセットに前記ＣＣＥを割り当てる場合、リソースブロック毎に前記未使用のＲＥＧを巡回シフトする。【００２７】
上記無線通信装置であって、前記割当て部は、前記各リソースブロックで、所定のサブキャリアを含むＲＥＧを前記未使用のＲＥＧとして巡回シフトする。【００２８】
本発明の一実施形態として、中継局を介して端末装置と無線通信を行う無線通信方法であって、中継局用の制御信号を配置するＣＣＥが割り当てられない未使用のＲＥＧが、複数のＲＥＧを有する各リソースブロック間で異なるように、前記複数のＲＥＧにＣＣＥを割り当てるステップと、前記割り当てに基づき、前記複数のＲＥＧに割り当てられた前記ＣＣＥに配置された制御信号を前記中継局に送信するステップと、を有する無線通信方法を提供する。
【発明の効果】
【００２９】
本発明に係る無線通信装置及び無線通信方法によれば、未使用ＲＥＧの配置を変更することで送信電力を有効に使用できる。
【図面の簡単な説明】
【００３０】
【図１】実施の形態１に係る無線通信システムの構成を示す図
【図２】ＲＥＧの配置例１を示す図
【図３】ＲＥＧの配置例２を示す図
【図４】ＲＥＧの配置例３を示す図
【図５】ＲＥＧの配置例４を示す図
【図６】ＲＥＧの配置例５を示す図
【図７】基地局１００の構成を示すブロック図
【図８】中継局３００の構成を示すブロック図
【図９】中継局３００の動作フローを示す図
【図１０】Ｒ−ＰＤＣＣＨに使用されるＯＦＤＭシンボルの割り当て例を示す図
【図１１】ＲＥＧを構成する全てのＲＥのＯＦＤＭシンボルが異なる例を示す図
【図１２】２リソースブロックＲＢを使用した場合のＲＥＧの配置例を示す図
【図１３】ＲＥＧの配置例６を示す図
【図１４】ＲＥＧの配置例７を示す図
【図１５】従来の無線中継システムを示す図
【図１６】ＬＴＥシステムでの各局のサブフレームにおける制御信号とデータとの割当の一例を示す図
【図１７】中継局用制御信号用のＲＢの一例を示す図（４アンテナの場合）
【図１８】中継局用制御信号用の複数のＲＢの一例を示す図（４アンテナの場合）
【発明を実施するための形態】
【００３１】
以下、本発明の実施の形態について、図面を参照して説明する。
【００３２】
（実施の形態１）
図１を参照して、Ｒｅｌａｙ技術を用いて無線信号を中継する、実施の形態１に係る無線通信システムについて説明する。図１は、実施の形態１に係る無線通信システムの構成を示す図である。実施の形態１に係る無線通信システムでは、基地局１００と無線通信端末装置（Ｕｓｅｒ  Ｅｑｕｉｐｍｅｎｔ：ＵＥ、以下、端末という）５００との間に無線通信中継局装置（以下、中継局という）３００を設置し、基地局１００と端末５００との間の通信を、中継局３００を介して行う。中継技術を用いると、基地局１００と直接通信できない端末５００も、中継局３００を介して通信することができる。
【００３３】
なお、本実施の形態に係る無線通信システムの中継は、時間分割中継（ＴＤ  ｒｅｌａｙ）とし、その経路は、基地局１００から中継局３００を経て端末５００へ至る２ホップとする。
【００３４】
なお、本実施の形態に係る無線通信システムでは、リソースブロック（ＲＢ）が複数存在する場合、複数のリソースブロックを区別するために、各リソースブロックを、「リソースブロック  ＲＢ＃ｎ（ｎ：０又は自然数）」と表記する。
【００３５】
なお、本実施の形態に係る無線通信システムでは、中継局用の制御信号（Ｒ−ＰＤＣＣＨ）に、上述したＬＴＥの規定、すわなち、「ＰＤＣＣＨとして使用するＲＥＧの番号を、ＲＥＧに属するＲＥのサブキャリア番号が小さく、さらにＯＦＤＭシンボルが小さいものから順につける」という規定を適用するものとする。以下、ｎ番目（ｎ：０又は自然数）のＲＥＧを、「ＲＥＧ＃ｎ」と表記する。
【００３６】
本実施の形態に係る無線通信システムでは、基地局１００は、中継局用の制御信号（Ｒ−ＰＤＣＣＨ）に使用されないＲＥＧ＃ｎを、リソースブロックＲＢ＃ｎ毎に異なるように、中継局用の制御信号（Ｒ−ＰＤＣＣＨ）に使用されないＲＥＧ＃ｎの配置を、リソースブロックＲＢ＃ｎ毎に巡回シフトさせる。言い換えると、基地局１００は、各リソースブロックＲＢ＃ｎで、中継局用の制御信号であるＲ−ＰＤＣＣＨをマッピングするＣＣＥが割り当てられないＲＥＧ＃ｎの位置を、リソースブロックＲＢ＃ｎ毎に巡回シフトさせる。以下、本実施の形態におけるＲＥＧ＃ｎの配置例１〜５について説明する。
【００３７】
＜ＲＥＧ＃ｎの配置例１＞
図２に、複数のリソースブロックＲＢ＃０〜ＲＢ＃５における、ＲＥＧ＃ｎの配置例１を示す。
【００３８】
なお、図２において、実線（細い）で囲まれた、最小単位のブロックが１ＲＥを表し、実線（太い）で囲まれたブロックが、１ＲＥＧ（４ＲＥで構成）を表す。
【００３９】
なお、図２において、ＲＥを表すブロックのうち、Ｒｎ（ｎは０〜３）と示されたブロックは、ｎ番目のアンテナｎのＲＳを表す。また、１ＣＣＥは９ＲＥＧで構成されている。
【００４０】
図２に示す複数のリソースブロックＲＢ＃０〜ＲＢ＃５は、中継局用制御信号（Ｒ−ＰＤＣＣＨ）用のリソースブロック（４アンテナ）である。複数のリソースブロックＲＢ＃０〜＃５では、１ＲＢが（１２サブキャリア×１４ＯＦＤＭ）で構成される。そのため、１ＲＢ当たり１６８ＲＥが配置できる。
【００４１】
また、図２に示す複数のリソースブロックＲＢ＃０〜＃５では、基地局１００は、ＲＳの送信（Ｒ０、Ｒ１、Ｒ２、Ｒ３）に２４ＲＥ使用し、Ｒ−ＰＤＣＣＨとして後半１１ＯＦＤＭシンボルを使用する。そのため、基地局１００は、Ｒ−ＰＤＣＣＨに１１６ＲＥ使用できる。
【００４２】
また、図２に示す複数のリソースブロックＲＢ＃０〜＃５では、ＬＴＥと同様に、１ＲＥＧが４ＲＥで構成されている。そのため、基地局１００は、Ｒ−ＰＤＣＣＨとして２９ＲＥＧ使用できる。
【００４３】
また、図２に示す複数のリソースブロックＲＢ＃０〜＃５では、１ＣＣＥが９ＲＥＧで構成されている。そのため、基地局１００は、各リソースブロックＲＢ＃０〜＃５で１ＲＢに３ＣＣＥ（９＊３＝２７ＲＥＧ）割当てることが可能である。
【００４４】
上述のように構成された各リソースブロックＲＢ＃０〜＃５では、Ｒ−ＰＤＣＣＨとして使用可能な２９ＲＥＧから、３ＣＣＥを構成する２７ＲＥＧを差し引いた、２ＲＥＧが、Ｒ−ＰＤＣＣＨとして使用されないＲＥＧ＃ｎとして存在する。言い換えると、図２において、各リソースブロックＲＢ＃ｎで、中継局用の制御信号であるＲ−ＰＤＣＣＨをマッピングするＣＣＥが割り当てられない、ＲＥＧ＃ｎが２つ存在する。
【００４５】
なお、図２では、Ｒ−ＰＤＣＣＨとして使用されないＲＥＧ＃ｎのブロックを斜線で囲まれたブロックで示している。
【００４６】
以下、各リソースブロックＲＢ＃ｎにおいて、ｎ番目のＲ−ＰＤＣＣＨとして使用されないＲＥＧ＃ｎを「未使用ＲＥＧ＃ｎ」という。未使用ＲＥＧ＃ｎは、中継局用の制御信号であるＲ−ＰＤＣＣＨをマッピングするＣＣＥが割り当てられない。
【００４７】
ここで、図２を参照して、各リソースブロックＲＢ＃ｎに対する、未使用ＲＥＧ＃ｎの配置について説明する。
【００４８】
図２に示すように、リソースブロックＲＢ＃０には、未使用ＲＥＧ＃２８と、未使用ＲＥＧ＃２９とが存在し、リソースブロックＲＢ＃１には、未使用ＲＥＧ＃１と、未使用ＲＥＧ＃２とが存在する。
【００４９】
また、図２に示すように、リソースブロックＲＢ＃２には、未使用ＲＥＧ＃３と、未使用ＲＥＧ＃４とが存在し、リソースブロックＲＢ＃３には、未使用ＲＥＧ＃５と、未使用ＲＥＧ＃６とが存在する。さらに、リソースブロックＲＢ＃４には、未使用ＲＥＧ＃７と、未使用ＲＥＧ＃８とが存在し、リソースブロックＲＢ＃５には、未使用ＲＥＧ＃９と、未使用ＲＥＧ＃１０とが存在する。
【００５０】
上述のように、図２に示す複数のリソースブロックＲＢ＃０〜＃５では、基地局１００が、各リソースブロックＲＢ＃ｎ毎に、未使用ＲＥＧ＃ｎの配置を変化させることで、未使用ＲＥＧ＃ｎが配置されるＯＦＤＭシンボルを分散させることができる。なお、未使用ＲＥＧ＃ｎの番号ｎの決め方については、後述する。
【００５１】
ここで、図２を参照して、ＯＦＤＭシンボル＃ｎ（ｎ＝０〜１３）に対する、未使用ＲＥＧ＃ｎの配置について説明する。
【００５２】
図２に示すように、リソースブロックＲＢ＃０では、基地局１００は、ＲＥＧ＃１０、ＲＥＧ＃１７、ＲＥＧ＃２８で構成されるＯＦＤＭシンボル＃１２の一部分（図２中、斜線部）と、各リソースブロック＃ｎのＲＥＧ＃１１、ＲＥＧ＃１８、ＲＥＧ＃２９で構成されるＯＦＤＭシンボル＃１３の一部分（図２中、斜線部）とを送信しない。
【００５３】
リソースブロックＲＢ＃１では、基地局１００は、ＲＥＧ＃１、ＲＥＧ＃１２、ＲＥＧ＃２３で構成されるＯＦＤＭシンボル＃３の一部分（図２中、斜線部）と、各リソースブロック＃ｎのＲＥＧ＃２、ＲＥＧ＃１９で構成されるＯＦＤＭシンボル＃４の一部分（図２中、斜線部）とを送信しない。
【００５４】
リソースブロックＲＢ＃２では、基地局１００は、ＲＥＧ＃３、ＲＥＧ＃１３、ＲＥＧ＃２４で構成されるＯＦＤＭシンボル＃５の一部分（図２中、斜線部）と、各リソースブロック＃ｎのＲＥＧ＃４、ＲＥＧ＃１４、ＲＥＧ＃２５で構成されるＯＦＤＭシンボル＃６の一部分（図２中、斜線部）とを送信しない。
【００５５】
リソースブロックＲＢ＃３では、基地局１００は、ＲＥＧ＃５、ＲＥＧ＃２０で構成されるＯＦＤＭシンボル＃７の一部分（図２中、斜線部）と、各リソースブロック＃ｎのＲＥＧ＃６、ＲＥＧ＃２１で構成されるＯＦＤＭシンボル＃８の一部分（図２中、斜線部）とを送信しない。
【００５６】
リソースブロックＲＢ＃４では、基地局１００は、ＲＥＧ＃７、ＲＥＧ＃１５、ＲＥＧ＃２６で構成されるＯＦＤＭシンボル＃９の一部分（図２中、斜線部）と、各リソースブロック＃ｎのＲＥＧ＃８、ＲＥＧ＃１６、ＲＥＧ＃２７で構成されるＯＦＤＭシンボル＃１０の一部分（図２中、斜線部）とを送信しない。
【００５７】
リソースブロックＲＢ＃５では、基地局１００は、ＲＥＧ＃９、ＲＥＧ＃２２で構成されるＯＦＤＭシンボル＃１１の一部分（図２中、斜線部）と、各リソースブロック＃ｎのＲＥＧ＃１０、ＲＥＧ＃１７、ＲＥＧ＃２８で構成されるＯＦＤＭシンボル＃１２の一部分とを送信しない。
【００５８】
上述のように、データ領域において、ＯＦＤＭシンボル＃３からＯＦＤＭシンボル＃１３の全てのＯＦＤＭシンボルで、未使用ＲＥＧ＃ｎが存在する。したがって、基地局１００は、この分の送信電力を、Ｒ−ＰＤＣＣＨの送信またはデータ信号の送信に振り分けることができる。このように送信電力を振り分けることができると、基地局１００において、電力利用効率が向上し、Ｒ−ＰＤＣＣＨまたはデータの誤り率特性が改善する。また、基地局１００は、未使用ＲＥＧ＃ｎのＯＦＤＭシンボル＃ｎを分散させることで、ＯＦＤＭシンボル＃ｎ毎の送信電力の差を小さくすることができる。そのため、ＰＡ（Ｐｏｗｅｒ  Ａｍｐ）の動作が安定するという効果がある。
【００５９】
次に、図２のＲＥＧの配置例１における、未使用ＲＥＧ＃ｎの配置の決め方について、説明する。
【００６０】
まず、未使用ＲＥＧ＃ｎを設定するために、（Ｒ−ＰＤＣＣＨに使用できるＲＥＧ数／９）より、１ＲＢあたりのＣＣＥ数を求める。そして、（Ｒ−ＰＤＣＣＨに使用できるＲＥＧ数  ｍｏｄ  ９）より、１ＲＢあたりの未使用ＲＥＧ＃ｎの数を求める。
【００６１】
なお、Ｒ−ＰＤＣＣＨに使用できるＲＥＧ＃ｎの数は、ＲＳの数を変動させるアンテナＲｎの数によって変動する。また、Ｒ−ＰＤＣＣＨに使用されるＯＦＤＭシンボル数は、同一リソースブロックＲＢに送信される他の制御信号の数によって変動する。
【００６２】
そして、次の（式１）により、未使用ＲＥＧ＃ｎのシフト量Ｓを決定する。なお、（式１）は、基地局１００と中継局３００とが共通に持っている情報であり、基地局１００と中継局３００とは、共通に計算をおこなう。
【００６３】
【数１】
2011040024.tif 000003
【００６４】
ここで、ＲＢ番号とは、リソースブロックＲＢ＃ｎの番号ｎを指す。また、１ＲＢあたりのＲＥＧ数とは、各リソースブロックＲＢ＃ｎで使用できるＲＥＧ＃ｎの数を指す。また、余りＲＥＧ数とは、各リソースブロックＲＢ＃ｎで、未使用ＲＥＧ＃ｎの数を指す。
【００６５】
例えば、ＲＢ番号＝２、（１ＲＢあたりのＲＥＧ数）＝２９、余りＲＥＧ数＝２を（式１）に代入すると、未使用ＲＥＧ＃ｎのシフト量Ｓは、（２  ｍｏｄ  ２９）＊２＝４と求められる。つまり、未使用ＲＥＧ＃ｎの位置を４つ巡回シフトすることを意味する。したがって、図２において、リソースブロックＲＢ＃０の未使用ＲＥＧ＃２８、＃２９の位置を基準とすると、ＲＢ番号が２であるリソースブロックＲＢ＃２では、未使用ＲＥＧ＃２８、２９の位置がシフト量４だけ巡回シフトする。したがって、リソースブロックＲＢ＃２では、未使用ＲＥＧ＃ｎは、未使用ＲＥＧ＃３、＃４と決まる。
【００６６】
＜ＲＥＧ＃ｎの配置例２＞
図３を参照して、ＲＥＧ＃ｎの配置例２について説明する。ここで、図３に示すリソースブロックＲＢ＃０〜＃２の構成は、未使用ＲＥＧ＃ｎの配置およびＣＣＥの割り当てを開始するＲＥＧ＃ｎのインデックスを除いて、図２に示す複数のリソースブロックＲＢ＃０〜＃２と同じ構成である。つまり、図３において、各リソースブロックＲＢ＃ｎで、中継局用の制御信号であるＲ−ＰＤＣＣＨをマッピングするＣＣＥが割り当てられない、未使用ＲＥＧ＃ｎが２つ存在する。なお、図３では、未使用ＲＥＧ＃ｎのブロックを斜線で示している。未使用ＲＥＧ＃ｎは、中継局用の制御信号であるＲ−ＰＤＣＣＨをマッピングするＣＣＥが割り当てられない。
【００６７】
ＲＥＧ＃ｎの配置例２では、基地局１００は、ＣＣＥの割り当てを開始するＲＥＧ＃ｎのインデックスを巡回シフトさせる。そのため、次の（式２）により、ＣＣＥの割り当てを開始するＲＥＧ＃ｎのインデックスを決定される。なお、（式２）は、基地局１００と中継局３００とが共通に持っている情報であり、基地局１００と中継局３００とは、共通に計算をおこなう。
【００６８】
【数２】
2011040024.tif 000004
【００６９】
ここで、ＲＢ番号とは、リソースブロックＲＢ＃ｎの番号ｎを指す。また、１ＲＢあたりのＲＥＧ数とは、各リソースブロックＲＢ＃ｎで使用できるＲＥＧ＃ｎの数を指す。また、余りＲＥＧ数とは、各リソースブロックＲＢ＃ｎで、未使用ＲＥＧ＃ｎの数を指す。
【００７０】
例えば、ＲＢ番号＝２、（１ＲＢあたりのＲＥＧ数）＝２９、余りＲＢ数＝２を（式２）に代入すると、ＣＣＥの割り当てを開始するＲＥＧ＃ｎのインデックスのシフト量は、（２  ｍｏｄ  ２９）＊２＝４と求められる。したがって、図３において、リソースブロックＲＢ＃０のＣＣＥの割り当てを開始するＲＥＧ＃１を基準とすると、リソースブロックＲＢ＃２のＲＥＧ＃ｎのインデックスの開始位置は、リソースブロックＲＢ＃０のＣＣＥの割り当てを開始するＲＥＧ＃１に対応するＲＥＧ＃２６の位置から４つ巡回シフトした位置をＲＥＧ＃１として、ＣＣＥの割り当てを開始する。
【００７１】
上述のように、リソースブロックＲＢ＃２のＲＥＧ＃ｎのインデックスの開始位置を設定すると、図２に示すＲＥＧ＃ｎの配置例１と比較して、図３に示すＲＥＧ＃ｎの配置例では、未使用ＲＥＧ＃ｎの位置は同じだが、ＲＥＧ＃ｎのインデックスが異なっている。
【００７２】
＜ＲＥＧ＃ｎの配置例３＞
図４を参照して、ＲＥＧの配置例３について説明する。ここで、図４に示すリソースブロックＲＢ＃０〜＃５の構成は、未使用ＲＥＧ＃ｎの配置を除き、図２に示す複数のリソースブロックＲＢ＃０〜＃５と同じ構成である。つまり、図４において、各リソースブロックＲＢ＃ｎで、中継局用の制御信号であるＲ−ＰＤＣＣＨをマッピングするＣＣＥが割り当てられない、未使用ＲＥＧ＃ｎが２つ存在する。なお、図４では、未使用ＲＥＧ＃ｎのブロックを斜線で示している。未使用ＲＥＧ＃ｎは、中継局用の制御信号であるＲ−ＰＤＣＣＨをマッピングするＣＣＥが割り当てられない。
【００７３】
ＲＥＧ＃ｎの配置例３では、基地局１００は、未使用ＲＥＧ＃ｎを、指定されたサブキャリアを含むＲＥＧ＃ｎのみで巡回シフトする。１つのリソースブロックＲＢのデータ領域は、１１サブキャリアで構成されている。ＲＥＧ＃ｎの配置例３では、リソースブロックＲＢ内の先頭サブキャリアを含むとする。
【００７４】
図４では、先頭サブキャリアを含むＲＥＧ＃ｎのインデックスは＃１、＃２、＃３、＃４、＃５、＃６、＃７、＃８、＃９、＃１０、＃１１である。したがって、基地局１００は、未使用ＲＥＧ＃ｎとして、ＲＥＧ＃１、ＲＥＧ＃２、ＲＥＧ＃３、ＲＥＧ＃４、ＲＥＧ＃５、ＲＥＧ＃６、ＲＥＧ＃７、ＲＥＧ＃８、ＲＥＧ＃９、ＲＥＧ＃１０、ＲＥＧ＃１１を割当てる。
【００７５】
そして、次の（式３）により、未使用ＲＥＧ＃ｎのシフト量Ｓ１を決定する。なお、（式３）は、基地局１００と中継局３００とが共通に持っている情報であり、基地局１００と中継局３００とは、共通に計算をおこなう。
【００７６】
【数３】
2011040024.tif 000005
【００７７】
ここで、ＲＢ番号とは、リソースブロックＲＢ＃ｎの番号ｎを指す。また、先頭サブキャリアを含むＲＥＧ数とは、各リソースブロックＲＢ＃ｎで、先頭サブキャリアを含むＲＥＧの数を指す。また、余りＲＥＧ数とは、各リソースブロックＲＢ＃ｎで、未使用ＲＥＧ＃ｎの数を指す。
【００７８】
例えば、ＲＢ番号＝２、先頭サブキャリアを含むＲＥＧ数＝１１、余りＲＥＧ数＝２を（式３）に代入すると、未使用ＲＥＧ＃ｎのシフト量Ｓ１は、（２  ｍｏｄ  １１）＊２＝４と求められる。したがって、図４において、リソースブロックＲＢ＃０の未使用ＲＥＧ＃１、＃２を基準として、リソースブロックＲＢ＃２の未使用ＲＥＧ＃ｎは、先頭サブキャリアを含むＲＥＧ＃１〜＃１１内で４つ巡回シフトさせた、ＲＥＧ＃５、ＲＥＧ＃６となる。
【００７９】
上述のように、指定されたサブキャリアを含むＲＥＧ＃ｎのみで、未使用ＲＥＧ＃ｎの巡回シフトをおこなうと、未使用ＲＥＧ＃ｎに含まれるＯＦＤＭシンボルの選択される確率が一定となる。使用されないＯＦＤＭシンボルが選択される確率が一定となると、各ＯＦＤＭシンボルの送信電力を平均的に下げることができるので、電力の有効利用がより効率的になる。
【００８０】
＜ＲＥＧ＃ｎの配置例４＞
図５を参照して、ＲＥＧ＃ｎの配置例４について説明する。ここで、図５に示すリソースブロックＲＢ＃０〜＃３の構成は、未使用ＲＥＧ＃ｎの配置を除き、図２に示す複数のリソースブロックＲＢ＃０〜＃３と同じ構成である。つまり、図５において、各リソースブロックＲＢ＃ｎで、中継局用の制御信号であるＲ−ＰＤＣＣＨをマッピングするＣＣＥが割り当てられない、未使用ＲＥＧ＃ｎが２つ存在する。なお、図５では、未使用ＲＥＧ＃ｎのブロックを斜線で示している。「未使用ＲＥＧ＃ｎ」は、中継局用の制御信号であるＲ−ＰＤＣＣＨをマッピングするＣＣＥが割り当てられない。
【００８１】
ＲＥＧ＃ｎの配置例４では、基地局１００は、ＲＳ＃ｎが配置されるＯＦＤＭシンボルのみに、未使用ＲＥＧ＃ｎを配置する。
【００８２】
図５では、ＲＳを含むＲＥＧ＃ｎのインデックスは、＃２、＃５、＃６、＃９、＃１９、＃２０、＃２１、＃２２である。したがって、基地局１００は、ＲＥＧ＃２、ＲＥＧ＃５、ＲＥＧ＃６、ＲＥＧ＃９、ＲＥＧ＃１９、ＲＥＧ＃２０、ＲＥＧ＃２１、ＲＥＧ＃２２に未使用ＲＥＧ＃ｎを割当てる。
【００８３】
そして、次の（式４）により、未使用ＲＥＧ＃ｎのシフト量Ｓ２を決定する。なお、（式４）は、基地局１００と中継局３００とが共通に持っている情報であり、基地局１００と中継局３００とは、共通に計算をおこなう。
【００８４】
【数４】
2011040024.tif 000006
【００８５】
ここで、ＲＢ番号とは、リソースブロックＲＢ＃ｎの番号ｎを指す。また、ＲＳを含むＲＥＧ数とは、各リソースブロックＲＢ＃ｎで、ＲＳを含むＲＥＧ＃ｎの数を指す。また、余りＲＥＧ数とは、各リソースブロックＲＢ＃ｎで、未使用ＲＥＧ＃ｎの数を指す。
【００８６】
例えば、ＲＢ番号＝２、ＲＳを含むＲＥＧ数＝８、余りＲＥＧ数＝２を（式４）に代入すると、未使用ＲＥＧ＃ｎのシフト量Ｓ２は、（２  ｍｏｄ  ８）＊２＝４と求められる。
【００８７】
したがって、図５において、リソースブロックＲＢ＃２の未使用ＲＥＧ＃ｎは、リソースブロックＲＢ＃０の未使用ＲＥＧ＃２、＃５を基準として、ＲＳを含むＲＥＧ＃２、ＲＥＧ＃５、ＲＥＧ＃６、ＲＥＧ＃９、ＲＥＧ＃１９、ＲＥＧ＃２０、ＲＥＧ＃２１、ＲＥＧ＃２２内で４つ巡回シフトさせた、ＲＥＧ＃１９、＃２０となる。
【００８８】
上述のように、図５に示すＲＥＧ＃ｎの配置例４では、基地局１００は、Ｒ−ＰＤＣＣＨとして使用しなかった送信電力を、ＲＳの送信電力に使用することができるので、ＲＳの送信電力を向上させることができる。
【００８９】
＜ＲＥＧ＃ｎの配置例５＞
図６を参照して、ＲＥＧ＃ｎの配置例５について説明する。ここで、図６に示すリソースブロックＲＢ＃０〜＃３の構成は、未使用ＲＥＧ＃ｎの配置を除き、図２に示す複数のリソースブロックＲＢ＃０〜＃３と同じ構成とする。つまり、図６において、各リソースブロックＲＢ＃ｎで、中継局用の制御信号であるＲ−ＰＤＣＣＨをマッピングするＣＣＥが割り当てられない、未使用ＲＥＧ＃ｎが２つ存在する。なお、図６では、未使用ＲＥＧ＃ｎのブロックを斜線で示している。未使用ＲＥＧ＃ｎは、中継局用の制御信号であるＲ−ＰＤＣＣＨをマッピングするＣＣＥが割り当てられない。
【００９０】
ＲＥＧ＃ｎの配置例５では、基地局１００は、ＲＳが配置されないＯＦＤＭシンボルのみに、未使用ＲＥＧ＃ｎを配置する。
【００９１】
図６に示すＲＥＧ＃ｎの配置例５では、ＲＳを含むＲＥＧ＃ｎのインデックスは、＃２、＃５、＃６、＃９、＃１９、＃２０、＃２１、＃２２である。したがって、基地局１００は、ＲＥＧ＃２、ＲＥＧ＃５、ＲＥＧ＃６、ＲＥＧ＃９、ＲＥＧ＃１９、ＲＥＧ＃２０、ＲＥＧ＃２１、ＲＥＧ＃２２以外のＲＥＧ＃ｎに未使用ＲＥＧ＃ｎを割当てる。
【００９２】
そして、次の（式５）により、未使用ＲＥＧ＃ｎのシフト量Ｓ３を決定する。なお、（式５）は、基地局１００と中継局３００とが共通に持っている情報であり、基地局１００と中継局３００とは、共通に計算をおこなう。
【００９３】
【数５】
2011040024.tif 000007
【００９４】
ここで、ＲＢ番号とは、リソースブロックＲＢ＃ｎの番号ｎを指す。また、ＲＳを含まないＲＥＧ数とは、各リソースブロックＲＢ＃ｎで、ＲＳを含まないＲＥＧ＃ｎの数を指す。また、余りＲＥＧ数とは、各リソースブロックＲＢ＃ｎで、未使用ＲＥＧ＃ｎの数を指す。
【００９５】
例えば、ＲＢ番号＝２、ＲＳを含まないＲＥＧ数＝２１、余りＲＥＧ数＝２を（式５）に代入すると、未使用ＲＥＧ＃ｎのシフト量Ｓ３は、（２  ｍｏｄ  ２１）＊２＝４と求められる。
【００９６】
したがって、図６において、リソースブロックＲＢ＃２の未使用ＲＥＧ＃ｎは、リソースブロックＲＢ＃０の未使用ＲＥＧ＃１、＃３を基準として、ＲＳを含まないＲＥＧ＃ｎのみで４巡回シフトさせたＲＥＧ＃８、＃１０となる。
【００９７】
上述のように、図６に示すＲＥＧ＃ｎの配置例５では、基地局１００は、ＲＳの送信電力が低く設定できる場合に、ＲＳが存在するＯＦＤＭシンボルではＲＳの送信電力を低くすることで送信電力を確保できる。また、ＲＳが存在しないＯＦＤＭシンボルではＲ−ＰＤＣＣＨとして使用しないことで送信電力を確保できる。そのため、ＰＤＳＣＨの送信電力を向上させることができる。
【００９８】
［基地局１００の構成］
次に、図７を参照して、基地局１００の構成について説明する。図７は、基地局１００の構成を示すブロック図である。
【００９９】
図７に示す基地局１００は、無線受信部１０１と、受信アンテナ１０３と、復調部１０５と、誤り訂正復号部１０７と、誤り訂正符号化部１０９と、Ｒ−ＰＤＣＣＨ用リソース決定部１１１と、ＣＣＥ割り当て部１１５と、変調部１１７と、信号割当て部１１９と、無線送信部１２１と、送信アンテナ１２３と、を備える。
【０１００】
無線受信部１０１は、中継局３００又は端末５００からの信号を、受信アンテナ１０３を介して受信し、ダウンコンバート等の無線処理を施し復調部１０５へ出力する。
【０１０１】
復調部１０５は、信号を復調し、誤り訂正復号部１０７へ出力する。
【０１０２】
誤り訂正復号部１０７は、信号を復号し、受信信号を出力する。
【０１０３】
誤り訂正符号化部１０９は、送信信号およびＲ−ＰＤＣＣＨ用リソース決定部１１１から入力されるＲ−ＰＤＣＣＨリソース割当て情報が入力され、送信信号を誤り訂正符号化し、変調部１１７へ出力する。
【０１０４】
Ｒ−ＰＤＣＣＨ用リソース決定部１１１は、中継局用の制御信号を送信するリソースを決定し、リソースを指示する信号をＣＣＥ割り当て部１１５と、誤り訂正符号化部１０９とへ出力する。
【０１０５】
ＣＣＥ割り当て部１１５は、制御信号が入力され、中継局用の制御信号は、Ｒ−ＰＤＣＣＨ用リソース情報から、ＣＣＥの割り当てを決定する。そして、ＣＣＥの割当てた信号を無線送信部１２１へ出力する。このとき、Ｒ−ＰＤＣＣＨ用リソースのうち、未使用ＲＥＧ＃ｎは、上述したＲＥＧ＃ｎの配置例１〜５で説明したように、各リソースブロックＲＢ＃ｎごとに、バラつきを持たせるように配置する。また、上述した（式１）から（式５）を参照して説明したように、配置ルールは、基地局１００と中継局３００とで共有する。
【０１０６】
変調部１１７は、信号を変調し、信号割当て部１１９へ出力する。
【０１０７】
信号割当て部１１９は、リソースに信号を割当て、無線送信部１２１へ出力する。
【０１０８】
無線送信部１２１は、割当てられた信号に対してアップコンバート等の無線処理を施して、送信アンテナ１２３から中継局３００へ送信する。
【０１０９】
［中継局３００の構成］
次に、図８を参照して、中継局３００の構成について説明する。図８は、中継局３００の構成を示すブロック図である。
【０１１０】
図８に示す中継局３００は、受信アンテナ３０１と、無線受信部３０３と、信号分離部３０５と、復調部３０７と、誤り訂正復号部３０９と、Ｒ−ＰＤＣＣＨ用リソース指示受信部３１１、Ｒ−ＰＤＣＣＨ受信部３１３、誤り訂正符号化部３１５と、変調部３１７と、信号割当て部３１９と、無線送信部３２１と、送信アンテナ３２３とを備える。
【０１１１】
無線受信部３０３は、基地局１００又は端末５００からの信号を、受信アンテナ３０１を介して受信し、ダウンコンバート等の無線処理を施し信号分離部３０５へ出力する。
【０１１２】
信号分離部３０５は、基地局１００から受信したＲ−ＰＤＣＣＨ用リソース情報より、Ｒ−ＰＤＣＣＨ用のリソースを分離し、Ｒ−ＰＤＣＣＨ受信部３１１へ出力する。また、信号分離部３０５は、Ｒ−ＰＤＣＣＨ受信部３１１から指示された中継局用データリソースを基地局１００から受信した信号から分離し、復調部３０７へ出力する。
【０１１３】
復調部３０７は、信号を復調し、誤り訂正復号部３０９へ出力する。
【０１１４】
誤り訂正復号部３０９は、信号を復号し、受信信号を、Ｒ−ＰＤＣＣＨ用リソース指示受信部３１１と誤り訂正符号化部３１５へ出力する。
【０１１５】
Ｒ−ＰＤＣＣＨ用リソース指示受信部３１１は、基地局１００から受信した、誤り訂正符号化された信号のうち、Ｒ−ＰＤＣＣＨ用リソースを指示する信号を抽出する。そして、Ｒ−ＰＤＣＣＨ用リソース指示受信部３１１は、Ｒ−ＰＤＣＣＨ用リソース情報をＲ−ＰＤＣＣＨ受信部３１３と信号分離部３０５とへ出力する。
【０１１６】
Ｒ−ＰＤＣＣＨ受信部３１３は、Ｒ−ＰＤＣＣＨ用リソース情報に基づき、基地局１００から指示されたリソースにより、ＣＣＥの割当てに使用されないＲＥＧ＃ｎ、つまり、未使用ＲＥＧ＃ｎを認識し、Ｒ−ＰＤＣＣＨを受信する。また、Ｒ−ＰＤＣＣＨ受信部３１３は、下り回線（Ｄｏｗｎ  Ｌｉｎｋ：以下、ＤＬという）のスケジューリング情報を信号分離部３０５へ出力し、上り回線（Ｕｐ  Ｌｉｎｋ：以下、ＵＬという）のスケジューリング情報を、信号割当て部３１９へ出力する。
【０１１７】
誤り訂正符号化部３１５は、基地局１００から受信した、誤り訂正符号化された信号が入力され、送信信号を誤り訂正符号化し、変調部３１７へ出力する。
【０１１８】
変調部３１７は、誤り訂正符号化された送信信号を変調し、信号割当て部３１９へ出力する。
【０１１９】
信号割当て部３１９は、Ｒ−ＰＤＣＣＨ受信部３１３から出力された上り回線（ＵＬ）のスケジューリング情報に従って、信号を割り当て、無線送信部３２１へ出力する。
【０１２０】
無線送信部３２１は、割当てられた信号に対してアップコンバート等の無線処理を施して、送信アンテナ３２３から基地局１００へ送信する。
【０１２１】
［中継局３００の動作］
次に、図９を参照して、中継局３００の動作について説明する。図９は、中継局３００の動作フローを示す図である。中継局３００が制御信号を受信し処理をする流れをフロー図に示す。
【０１２２】
ステップＳ９０で、中継局３００は、Ｒ−ＰＤＣＣＨ用のリソースブロックＲＢの指示を受信する。変更があればステップＳ９１へ、変更がなければステップＳ９３へ遷移する。この指示信号は上位の制御信号で送信される場合、更新頻度は数フレーム単位であり、毎サブフレームに挿入される制御信号（たとえば  Ｒ−ＰＣＦＩＣＨ）を設定して送信される場合、サブフレームごとに変更することも可能である。本実施の形態の中継局３００では、上位の制御信号で送信される例を示している。また、変更があるときのみ制御信号を送信してもよい。
【０１２３】
ステップＳ９１で、信号分離部３０５で、Ｒ−ＰＤＣＣＨ用に受信するＲＢを切り替え、ステップＳ９３へ遷移する。
【０１２４】
ステップＳ９３で、指定されたリソースブロックＲＢの信号を、信号分離部３０５で抽出し、Ｒ−ＰＤＣＣＨ受信部３１３でＲ−ＰＤＣＣＨを受信する。そして、ステップＳ９５へ遷移する。
【０１２５】
ステップＳ９５で、Ｒ−ＰＤＣＣＨから、ＵＬ用に割当てられたＲＢ情報と、ＤＬ用に割当てられたＲＢ情報とを取得し、ＵＬのスケジューリング情報を、信号割当て部３１９へ出力し、ＤＬのスケジューリング情報を信号分離部３０５へ出力する。
【０１２６】
ステップＳ９７で、信号割当て部３１９で、ＵＬのスケジューリング情報に基づき、ＵＬの信号をＲＢに割当てる。そして動作が終了する。
【０１２７】
ステップＳ９９で、信号分離部で、ＤＬに割当てられたＲＢの信号を抽出し、復調部へ出力する。そして、動作が終了する。
【０１２８】
なお、本実施の形態では、（式１）〜（式５）において、リソースブロックＲＢのＲＢ番号とは、サービスされる帯域全体の通し番号として説明したが、Ｒ−ＰＤＣＣＨに割当てられるＲＢの番号でもよい。また、割当て単位として使用されるＲＢＧ（Ｒｅｓｏｕｒｃｅ  Ｂｌｏｃｋ  Ｇｒｏｕｐ）の番号でもよい。
【０１２９】
なお、本実施の形態では、Ｒ−ＰＤＣＣＨに使用されるＯＦＤＭシンボルは上記に限定しない。たとえば、図１０に示すように、ＯＦＤＭシンボルを４シンボルＲ−ＰＤＣＣＨに割当てるシステムにも適用できる。
【０１３０】
なお、本実施の形態では、図２〜図６に示したＲＥＧ＃ｎの配置例では、連続したＲＢにＲ−ＰＤＣＣＨが割当てられているが、Ｒ−ＰＤＣＣＨが配置されるＲＢは、連続している必要はない。
【０１３１】
なお、本実施の形態では、Ｒ−ＰＤＣＣＨ用のＲＥＧ＃ｎの割当て方法について、ＲＥＧ＃ｎを構成するＲＥは同ＯＦＤＭシンボルである例を示したが、それに限定しない。ＲＥＧ＃ｎを構成するＲＥが異なるＯＦＤＭシンボルの同一サブキャリアを含んでもよい。
【０１３２】
ここで、図１１にＲＥＧ＃ｎを構成する全てのＲＥのＯＦＤＭシンボルが異なる例を図に示す。図１１に示すように、ＲＥＧ＃ｎを構成するＲＥのＯＦＤＭシンボルは、ＯＦＤＭシンボル＃３から＃１３であり、全て異なっている。この例の場合、上述したＲＥＧ＃ｎの配置例１、配置例２、配置例４を適用することが可能である。
【０１３３】
（変形例）
ここで、実施の形態１では、中継局用のＣＣＥの割当ては、１つのリソースブロックＲＢを１単位として割当てられているが、中継局用のＣＣＥの割当ては、複数のＲＢを１単位として割当てられることも検討されている。そこで、実施の形態１の変形例として、Ｒ−ＰＤＣＣＨの割り当てが、複数のリソースブロックＲＢにまたがる場合について説明する。
【０１３４】
一例として、基地局１００が、２リソースブロックＲＢを使用して中継局用のＣＣＥを割当てる場合について、図１２を参照して、説明する。図１２は、基地局１００は、２リソースブロックＲＢを使用して、中継局用のＣＣＥを割当てる場合について、ＲＥＧ＃ｎの配置例を説明するための図である。なお、ＲＥＧ＃ｎの割り当て方法は、図１７に示すリソースブロックと同じである。
【０１３５】
図１２に示す２つのリソースブロックＲＢにおいて、基地局１００は、２３２ＲＥをＲ−ＰＤＣＣＨに使用できる。そして、ＲＥＧ＃ｎは５８（２３２／４）、ＣＣＥは６つ（５８／９  ＝  ６  余り４）、未使用ＲＥＧ＃ｎは４つとなる。ＬＴＥと同様にＰＤＣＣＨとして使用するＲＥＧ＃ｎの番号を、ＲＥＧ＃ｎに属するＲＥのサブキャリア番号が小さく、さらにＯＦＤＭシンボルが小さいものから順につけると、未使用ＲＥＧ＃ｎは、ＲＥＧ＃５５〜ＲＥＧ＃５８である。
【０１３６】
図１２に示すように、Ｒ−ＰＤＣＣＨの割り当てが複数のリソースブロックＲＢにまたがる場合も、未使用ＲＥＧ＃ｎに偏りが生ずる。そこで、変形例１では、実施の形態１と同様に、複数のリソースＲＢにまたがる場合も、基地局１００は、未使用ＲＥＧ＃ｎを分散させ、電力利用効率を向上させる。以下、未使用ＲＥＧ＃ｎを分散させるＲＥＧ＃ｎの配置例６、配置例７について説明する。
【０１３７】
＜ＲＥＧ＃ｎの配置例６＞
図１３を参照して、ＲＥＧ＃ｎの配置例６について説明する。図１３は、ＲＥＧ＃ｎの配置例６を示す図である。ＲＥＧ＃ｎの配置例６では、中継局用のＣＣＥを割当てる２つのリソースブロックＲＢのセットとして、ＲＢ＃０とＲＢ＃１のセットと、ＲＢ＃２とＲＢ＃３のセットとがある。
【０１３８】
ここで、図１３に示すリソースブロックＲＢ＃０〜＃３の構成は、未使用ＲＥＧの配置を除き、図２に示す複数のリソースブロックＲＢ＃０〜＃３と同じ構成とする。つまり、図１３において、各リソースブロックＲＢのセット（ＲＢ＃０、ＲＢ＃１）及び（ＲＢ＃２、ＲＢ＃３）で、中継局用の制御信号であるＲ−ＰＤＣＣＨをマッピングするＣＣＥが割り当てられない、未使用ＲＥＧ＃ｎが２つ存在する。なお、図１３では、未使用ＲＥＧ＃ｎのブロックを斜線で示している。未使用ＲＥＧ＃ｎには、中継局用の制御信号であるＲ−ＰＤＣＣＨをマッピングするＣＣＥが割り当てられない。
【０１３９】
まず、次の（式６）により、未使用ＲＥＧ＃ｎのシフト量Ｓ４を決定する。なお、（式６）は、基地局１００と中継局３００とが共通に持っている情報であり、基地局１００と中継局３００とは、共通に計算をおこなう。ＲＥＧ＃ｎの配置例６では、未使用ＲＥＧ＃ｎは、リソースブロックＲＢのセット（ＲＢ＃０、ＲＢ＃１）、リソースブロックＲＢのセット（ＲＢ＃２、ＲＢ＃３）のそれぞれにおいて、後半のリソースブロックＲＢのみに配置する。すなわち、リソースブロックＲＢのセット（ＲＢ＃０、ＲＢ＃１）ではリソースブロックＲＢ＃１に、リソースブロックＲＢのセット（ＲＢ＃２、ＲＢ＃３）ではリソースブロックＲＢ＃３に、未使用ＲＥＧ＃ｎを配置される。
【０１４０】
【数６】
2011040024.tif 000008
【０１４１】
ここで、ＲＢ番号とは、リソースブロックＲＢ＃ｎの番号ｎを指す。１セットあたりのＲＢ数とは、リソースブロックＲＢのセットを構成するリソースブロック＃ｎの数を指す。１ＲＢあたりのＲＥＧ数とは、１つのリソースブロックＲＢ＃ｎ当たりのＲＥＧ＃ｎの数を指す。余りＲＥＧ数とは、各リソースブロックＲＢ＃ｎで、未使用ＲＥＧ＃ｎの数を示す。
【０１４２】
例えば、ＲＢ番号＝３、１セットあたりのＲＢ数＝２、余りＲＥＧ数＝４、１ＲＢあたりのＲＥＧ数＝５８を（式６）に代入すると、未使用ＲＥＧ＃ｎのシフト量Ｓ４は、（（３−（２−１））＊４／２）ｍｏｄ  （５８）＝４と求められる。
【０１４３】
したがって、図１３において、リソースブロックＲＢのセット（ＲＢ＃０、ＲＢ＃１）の未使用ＲＥＧ＃５５、＃５６、＃５７、＃５８を基準として、リソースブロックＲＢのセット（ＲＢ＃２、ＲＢ＃３）の未使用ＲＥＧ＃ｎの位置は、リソースブロックＲＢ＃３内で、ＲＥＧ＃３０、ＲＥＧ＃３１、ＲＥＧ＃３２、ＲＥＧ＃３３に巡回シフトする。
【０１４４】
＜ＲＥＧ＃ｎの配置例７＞
図１４を参照して、ＲＥＧ＃ｎの配置例７について説明する。図１４は、ＲＥＧ＃ｎの配置例７を示す図である。図１３に示すＲＥＧ＃ｎの配置例６と同様、中継局用のＣＣＥを割当てる２つのリソースブロックＲＢのセットとして、リソースブロックＲＢのセット（ＲＢ＃０、ＲＢ＃１）と、リソースブロックＲＢのセット（ＲＢ＃２、ＲＢ＃３）とがある。また、ＲＥＧ＃ｎの配置例７では、リソースブロックＲＢ＃０、＃１、＃２、＃３ごとに未使用ＲＥＧ＃ｎを配置する。
【０１４５】
ここで、図１４に示すリソースブロックＲＢ＃０〜＃３の構成は、未使用ＲＥＧ＃ｎの配置を除き、図１３に示すリソースブロックＲＢ＃０〜＃３と同じ構成である。図１４において、各リソースブロックＲＢ＃ｎで、中継局用の制御信号であるＲ−ＰＤＣＣＨをマッピングするＣＣＥが割り当てられない、未使用ＲＥＧ＃ｎが２つ存在する。なお、図１４では、未使用ＲＥＧ＃ｎのブロックを斜線で示している。未使用ＲＥＧ＃ｎには、中継局用の制御信号であるＲ−ＰＤＣＣＨをマッピングするＣＣＥが割り当てられない。
【０１４６】
まず、次の（式７）により、リソースブロックＲＢ＃０、＃１、＃２、＃３毎に未使用ＲＥＧ＃ｎのシフト量Ｓ５を決定する。なお、（式７）は、基地局１００と中継局３００とが共通に持っている情報であり、基地局１００と中継局３００とは、共通に計算をおこなう。
【０１４７】
【数７】
2011040024.tif 000009
【０１４８】
ここで、ＲＢ番号とは、リソースブロックＲＢ＃ｎの番号ｎを指す。１ＲＢあたりのＲＥＧ数とは、リソースブロックＲＢのセットを構成する各リソースブロックＲＢのＲＥＧ＃ｎの数を指す。１セットあたりのＲＢ数とは、リソースブロックＲＢのセットを構成するリソースブロック＃ｎの数を指す。余りＲＥＧ数とは、各リソースブロックＲＢ＃ｎで、未使用ＲＥＧ＃ｎの数を示す。
【０１４９】
例えば、例：ＲＢ番号＝３、１セットあたりのＲＢ数＝２、余りＲＢ数＝４、１ＲＢあたりのＲＥＧ数＝５８を（式７）に代入すると、未使用ＲＥＧ＃ｎのシフト量Ｓ５は、{３  ｍｏｄ  ２９＊  ４／２  ＋  （３  ｍｏｄ  ２）}＝６と求められる。
【０１５０】
したがって、図１４において、リソースブロックＲＢ＃０の未使用ＲＥＧ＃２８、＃２９を基準とすると、リソースブロックＲＢ＃３において、未使用ＲＥＧ＃ｎは、ＲＥＧ＃３４、ＲＥＧ＃３５となる。 
【０１５１】
ここで、図１４に示すＲＥＧ＃ｎの配置例７は、実施の形態１の配置例１と同様の配置となる。したがって、中継局ごとに割当てるＲＢ数が異なる場合であっても、未使用ＲＥＧ＃ｎの配置を分散させることができる。
【０１５２】
また、上記各実施の形態における未使用ＲＥＧ＃ｎの設定に関して、セルごとに異なるオフセット量を設定してもよい。具体的には、ＲＢ番号にセル固有のオフセット量を加算してからｍｏｄの計算をおこなう。このようにすると、セル間でことなるＲＥＧ＃ｎを未使用ＲＥＧ＃ｎに設定できるので、干渉量を削減することができる。
【０１５３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５４】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０１５５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０１５６】
なお、上記実施の形態ではアンテナとして説明したが、アンテナポートでも同様に適用できる。アンテナポート（ａｎｔｅｎｎａ  ｐｏｒｔ）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なるＲｅｆｅｒｅｎｃｅ  ｓｉｇｎａｌを送信できる最小単位として規定されている。また、アンテナポートはＰｒｅｃｏｄｉｎｇ  ｖｅｃｔｏｒの重み付けを乗算する最小単位として規定されることもある。
【０１５７】
本出願は、２００９年１０月２日出願の日本特許出願（特願２００９−２３０９５８）に基づくものであり、その内容はここに参照として取り込まれる。
【産業上の利用可能性】
【０１５８】
本発明に係る無線通信装置及び無線通信方法は、未使用ＲＥＧの配置を変更することで送信電力を有効に使用することができるという効果を有し、無線通信装置等として有用である。
【符号の説明】
【０１５９】
１００  基地局
１０１  無線受信部
１０３  受信アンテナ
１０５  復調部
１０７  誤り訂正復号部
１０９  誤り訂正符号化部
１１５  ＣＣＥ割り当て部
１１７  変調部
１１９  信号割当て部
１２１  無線送信部
１２３  送信アンテナ
３００  中継局
３０１  受信アンテナ
３０３  無線受信部
３０５  信号分離部
３０７  復調部
３０９  誤り訂正復号部
３１１  Ｒ−ＰＤＣＣＨ用リソース指示受信部
３１３  Ｒ−ＰＤＣＣＨ用受信部
３１５  誤り訂正符号化部
３１７  変調部
３１９  信号割当て部
３２１  無線送信部
３２３  送信アンテナ
５００  端末
【図１】
2011040024.tif 000010
【図２】
2011040024.tif 000011
【図３】
2011040024.tif 000012
【図４】
2011040024.tif 000013
【図５】
2011040024.tif 000014
【図６】
2011040024.tif 000015
【図７】
2011040024.tif 000016
【図８】
2011040024.tif 000017
【図９】
2011040024.tif 000018
【図１０】
2011040024.tif 000019
【図１１】
2011040024.tif 000020
【図１２】
2011040024.tif 000021
【図１３】
2011040024.tif 000022
【図１４】
2011040024.tif 000023
【図１５】
2011040024.tif 000024
【図１６】
2011040024.tif 000025
【図１７】
2011040024.tif 000026
【図１８】
2011040024.tif 000027
【国際調査報告】
2011040024.tif 000028
2011040024.tif 000029
2011040024.tif 000030
2011040024.tif 000031